(57)【特許請求の範囲】
【請求項１】
隠し伸縮背面層を有する上着であって、
着用者の正面に対応する前部分と、着用者の背中に対応する後部分とを含むアウターシェル層と、
少なくとも前記アウターシェル層の前部分および後部分にて前記アウターシェル層に取り付けられる腕袖パネルと、
前記アウターシェル層の、前記腕袖パネルと連結される上部シェル層領域に設けられ、前記アウターシェル層の後部分に外層活動背面継ぎ目において連結される外層活動背面であって、アクションプリーツ背面の構成が採用された前記外層活動背面と、
前記アウターシェル層とは別個で、前記上着の上部シェル層領域の後部分に配置される前記隠し伸縮背面層を含む活動背裏と、を備え、
前記隠し伸縮背面層は、前記アウターシェル層に連結されており、ともに連結される伸縮パネルと前記伸縮パネルの両側であって前記腕袖パネルが配置されている左右方向の両側に配置されるシェルパネルを含む、上着。
【請求項２】
前記隠し伸縮背面層は、少なくとも上腹部背面継ぎ目、肩継ぎ目、およびアウターシェル層サイド継ぎ目で前記アウターシェル層に連結される、請求項１に記載の上着。
【請求項３】
前記隠し伸縮背面層は伸縮ニット生地である、請求項１に記載の上着。
【請求項４】
前記活動背裏は、前記シェルパネルとともに連結され伸縮パネル継ぎ目へセットされる縁取りパネルを更に含む、請求項１に記載の上着。
【請求項５】
前記縁取りパネルがシェル生地縁取り継ぎ当てである、請求項４に記載の上着。
【請求項６】
前記活動背裏は、１つまたは複数の縁取り縁で連結される伸縮パネル、シェルパネルおよび縁取りパネルの最外表面に配置される外側生地層を更に含む、請求項１に記載の上着。
【請求項７】
前記活動背裏は、肩継ぎ目、アウターシェル層サイド継ぎ目および上腹部背面継ぎ目の１つまたは複数において前記アウターシェル層に連結される、請求項１に記載の上着。
【請求項８】
前記活動背裏は、少なくとも前記上着の上腹部背面継ぎ目で連結される、請求項１に記載の上着。
【請求項９】
前記腕袖パネルは三重縫い継ぎ目によって肩継ぎ目で前記アウターシェル層に連結される、請求項１に記載の上着。
【請求項１０】
前記腕袖パネルは更に前方腕袖プリーツを含む、請求項１に記載の上着。
【請求項１１】
前記腕袖パネルは更に前方腕袖プリーツと後方腕袖プリーツを含む、請求項１に記載の上着。
【請求項１２】
前記腕袖パネルは、前記上着の腋の下の領域にある袖ぐりまちを介して前記アウターシェル層に連結される、請求項１に記載の上着。
【請求項１３】
着用者の腕が弛緩位置にあるとき、前記袖ぐりまちは折り目ラインに沿ってそれ自体を折り返すように構成される、請求項１２に記載の上着。
【請求項１４】
前記袖ぐりまちは、着用者の腕が弛緩位置にあるとき、前記着用者の腋の下の内角でアコーディオンのような折り目を形成し、それ自体をアコーディオンのような態様で折り返すように構成される、請求項１２に記載の上着。
【請求項１５】
前記アウターシェル層および前記腕袖パネルはそれぞれが単一の生地で構成されている、請求項１に記載の上着。
【請求項１６】
前記アウターシェル層および前記腕袖パネルは、綿、帆布、ナイロン、シェルパ、合成繊維、フリース、リップストップコットン、絶縁材料、耐摩耗材料、耐裂け材料、耐破れ材料、耐破裂材料、耐熱材料、電気的絶縁材料、耐火材料、不燃材料、弾性材料、材料ブレンド、サンドストーンを含む材料の1つまたは複数を含む、請求項１に記載の上着。
【請求項１７】
前記アウターシェル層の内側部分に取り付けられる衣服内側裏地を更に有する、請求項１に記載の上着。
【請求項１８】
前記アウターシェル層の内側部分に取り付けられ、前記活動背裏を覆う衣服内側裏地を更に含む、請求項１に記載の上着。
【請求項１９】
袖ぐりまちおよび前記袖ぐりまちと相補的に機能するように配置され形作られる袖ぐりまち伸縮生地を含む腕内側裏地継ぎ当てを更に備える、請求項１に記載の上着。
【請求項２０】
腕袖プリーツおよび前記腕袖プリーツと相補的に機能するように配置され形作られる肘伸縮生地を含むアーム内側裏地伸縮継ぎ当てを更に備える、請求項１９に記載の上着。
【請求項２１】
腕袖プリーツおよび前記腕袖プリーツと相補的に機能するように配置され形作られる肘伸縮生地を含むアーム内側裏地伸縮継ぎ当てを更に備える、請求項１に記載の上着。
【請求項２２】
前記アウターシェル層の中で使用されるいかなる生地とも異なる単一の生地を含む衣服内側裏地を更に含む、請求項１に記載の上着。
【請求項２３】
前記活動背裏に統合され単一の内側裏地を形成する衣服内側裏地を更に含む、請求項１に記載の上着。
【請求項２４】
衣服内側裏地第１生地、衣服内側裏地第２生地および衣服内側裏地第３生地を含む衣服内側裏地を更に含む、請求項１に記載の上着。
【発明の詳細な説明】
【技術分野】
【０００１】
本願は、２０１５年５月１３日に提出された米国仮特許出願第６２／１６１,０２３の利益を要求するものであり、その開示の全体が参照によって本明細書に取り込まれるものとする。
【背景技術】
【０００２】
本開示の実施形態は、コートやジャケットのように上着に向けられるものであり、特に、上着としての完全性および機能性を維持しながら、着用者の通常の使用における腕、トルソ（胸および背）、肩の可動域を改善する隠し伸縮背面層を備えた上着に関する。そのような衣服の実施形態は、１つまたは複数の適用および環境条件において着用者が望む機能を維持しながら、軽量で快適であり続ける。
【発明の概要】
【発明が解決しようとする課題】
【０００３】
上着は、伝統的には、単一のユニットまたは一体構造のアウターシェル（外殻）を有する。そのような一体構造は、腕、トルソおよび肩の運動の範囲を拘束し、制限し、あるいは、減少させる可能性がある。例えば、そのような衣類にしばしば含まれる長袖は、特に腕を上げたり、伸ばしたり、曲げたり、あるいはそれらの動作を組合せて行ったりする時に、腕、トルソおよび肩の運動を拘束し、あるいは制限する傾向があり、使用の際に着用者の運動能力の妨げとなる。
【０００４】
着用者が自らの腕を頭の上まで動かす場合、別の好ましくない状況が生じる。そのような場合、上記のコートの胴またはトルソ部分が腕とともに上がり、着用者の胴体または下着の一部が露出する。
【０００５】
例えば、全長のジッパーがある上着は、着用者の腕、トルソおよび肩の運動の範囲を拘束し、制限し、縮小させる。着用者の腰の下から首または襟の領域までのジッパーを備えた衣服は、着用者が自らの腕を後方に動かすときまたは肩の動きが必要なときに、衣服の前部分においてかなりの拘束と制限を生じる可能性がある。
【０００６】
更に別の好ましくない状況は、寒い天候状況その他の皮膚の保護が必要とされる他の状況に適した衣服に存在する。そのような衣服は、全体の材料またはアウターシェルのいずれかにおいて嵩張る傾向があるためである。コートに嵩を加えることは、所定の悪天候の影響の緩和において有用である一方、着用者の腕、トルソおよび肩の運動の範囲を更に拘束し、制限し、縮小させる傾向があり、上着を、活動的な作業環境により適さず、汎用性の低いものとしてしまう。
【０００７】
アウターシェルのデザインを変更したり（例えば、ベントを加える）、柔軟なアウターシェルとしてコートを構成したりするアプローチは、所与の適用または条件における使用のための所望の機能全体の一つまたは複数を欠く傾向がある。他のハイブリッド的な手法は、アウターシェルの材料を柔軟な材料に変更することを含むが、これは、作業環境における外層の完全性および強度に影響する。更に別のハイブリッド的な手法は、衣服の外側の胴から、袖の全部または一部を分離するものである。一方、他のアプローチにおいては、袖は、衣服の外側の胴の代わりに、柔軟な裏地に直接結合される。これらのハイブリッド的な手法が着用者の運動の度合いを増加させるために試みられた。そのようなアプローチは、衣服の外側の構造の均一性および完全性を壊し、更なる露出要素または可動要素をコートに加え、かつ／または、上着の性能および機能を妨げた。
【０００８】
伝統的に見える機能的な上着であって、上着の完全性および機能を維持しながら、通常の使用における着用者の腕、トルソ（胸と背中）、肩の改善された可動域を与える上着が、以下、詳細に記述される。上述の情報は、本開示の理解を支援することのみを目的として背景的情報として示した。上述の情報のいずれかが本開示に対する先行技術として適用され得るかについては何らの判断も主張も行われていない。
【課題を解決するための手段】
【０００９】
上着の完全性および機能を維持しながら、着用者の可動域を改善する隠し伸縮背面層を備えた上着が示される。上着はアウターシェル層と、外層と、活動背面と、腕袖パネルを備える。外層活動背面はアウターシェル層の後部分へ統合される。腕袖パネルは、少なくともアウターシェル層の前部分および後部分にてアウターシェル層に取り付けられる。活動背裏は、アウターシェル層とは別個の、アウターシェル層の後部分に配置される隠し伸縮背面層を含む。隠し伸縮背面層は、ともに連結されアウターシェル層に連結される伸縮パネルとシェルパネルを含む。
【図面の簡単な説明】
【００１０】
添付図と共に読むことで、上記の概要および下記の本一般発明概念の所定の実施形態の詳細な説明に記載された特徴および有用性が一層よく理解されるだろう。
【図１】図１は、着用者の正面に対応する本開示の実施形態に係る上着のアウターシェル層の一部の正面の外観を示す。
【図２】図２は、着用者の背中に対応する本開示の実施形態に係る上着のアウターシェル層の一部の背面の外観を示す。
【図３】図３は、本開示の実施形態に係る肘プリーツの構成の図２中の切断線Ｂ−Ｂに沿う横断面を示す。
【図４Ａ】図４Ａは、本開示の実施形態に係る活動背裏の伸縮背面層を示す。
【図４Ｂ】図４Ｂは、本開示の実施形態に係る活動背裏の伸縮背面層と組み付けられる縁取りパネルを示す。
【図４Ｃ】図４Ｃは、本開示の実施形態に係る活動背裏の外側生地層を示す。
【図４Ｄ】図４Ｄは、本開示の実施形態に係る組み立てられた活動背裏を示す。
【図５】図５は、本開示の実施形態に係る袖ぐりまち構成を図２中の切断線Ａ−Ａに沿って示す。
【図６】図６は、本開示の実施形態に係る肘伸縮生地および袖ぐりまち伸縮生地を含む腕内側裏地伸縮継ぎ当て構成を示す。
【図７】図７は、本開示の実施形態に係る組み立てられた衣服内側裏地の構成を示す。
【００１１】
一般的な発明概念を説明する目的で、所定の実施形態が図面中に示される。また、図面中で示されるハッチングまたは陰影付けは説明目的で提供される。ただし、添付図中で示される配置および手段に本開示が限定されないことは理解されるべきである。
【発明を実施するための形態】
【００１２】
本一般発明概念の実施形態につき詳細に言及するが、添付図においてそれらの例が示され、全添付図を通して、参照符号は同様の要素を指す。図中の実施形態を参照しながら、以下、複数の実施形態について述べ、本一般発明概念について説明する。
【００１３】
本開示の利点と特徴、および、それを実現する方法は、以下の詳細な説明および図面を参照することによってより容易に理解されるであろう。ただし、本一般発明概念は、様々な態様で実行され、完成される多数の異なる形式で具体化されてもよく、本明細書に開示される実施形態に制限されるものと解釈されるべきではない。寧ろ、本開示を完全なものとし、当業者に対して一般発明概念が伝えられるように、これらの実施形態が提供される。本一般発明概念は、添付の請求項によって定義される。図面においては、図形の特徴（例えば層や部分の厚さ）は視覚的な明確性のために誇張される。
【００１４】
他の方法で定義されない限り、ここに使用される技術用語はすべて本発明の属する技術分野における通常の知識を有する者によって理解されるのと同じ意味を有する。更に、他の方法で定義されない限り、一般に用いられる辞書に定義されている用語はすべてそれらの通常の意味を持つものとする。また、本明細書中で使用される語法および用語は、説明のためであり、制限のためと見なされるべきではない。発明を記述する文脈（例えば、続く請求項における文脈）における単数（「a」、「an」、「the」）および同様の言及は、本明細書において明白に否定されるか文脈と明白に矛盾する場合を除き、単数と複数の両方を含むものと解釈されるものとする。「備える」、「持つ」、「有する」、「含む」（「comprising」、「having」、「including」、「containing」）の語は、他の注釈がない限り、「〜を含むが、これに限定されない」として解釈される。
【００１５】
実施形態は、概して、上着を構成し、または、上着に組み付けられる部品の組合せを含むものとして記述される。そのような上着は、着心地、フィット感、有用性、および／または、耐久性を同時に維持または改善する一方、活動的な上着の着用者の改善された可動域の必要性に対処する。
【００１６】
図１および２を参照し、上着１００の例としての実施形態を示す。上着１００の典型的な着用者は男性、女性または子どもであってもよい。
【００１７】
上着１００は、（図１のように一方側から見た）着用者の正面に対応する前部分と、（図２のように他方側から見た）着用者の背面に対応する後部分を含む。具体的には、図１は、着用者の正面に相当する上着１００のアウターシェル層１０２（外殻層）の一部の前方の外観を説明する。図２は、着用者の背面に相当する上着２００のアウターシェル層２０２の一部の後方の外観を説明する。
【００１８】
図１の実施形態をより具体的に参照し、図１は、着用者の正面に相当する上着１００のアウターシェル層１０２の一部の正面の外観を説明する。図１は、襟領域１０４、上部シェル層領域１０６、下部シェル層領域１０８、フード１２０および腕袖パネル１３０との関連においてアウターシェル層１０２を説明する。図１および２に示されるアウターシェル層１０２は、環境に露出される衣服１００の部分である。
【００１９】
一般に、上着１００は活動的な環境の中で典型的に着用されるタイプの衣服である。上着１００は様々な材料、サイズ、生地、織物、色、長さ、耐久性を有してもよく、また、例えば、着用者の好みや、上着１００が使用されると予想される活動的環境のタイプに依存する構成を有していてもよい。上着１００は（例えば、耐水性、耐火性、高度との関連での）保護、特定の活動または職業の機能（例えば消防士、スポーツ選手、ハンター、医療従事者（例えば、手術着）、建設作業員、スキーヤー、兵士など）、暖かさ、および／または、ファッションのために着用することができる。
【００２０】
更なる例として、上着１００の全体または部分を構成し得る材料は、いくつか例を挙げるとすれば、綿、帆布、ナイロン、シェルパ、合成繊維、羊毛、リップストップコットン（裂け止めコットン）、伸縮性繊維、絶縁材料（例えば、シンシュレート（３Mの登録商標）、コーデュラ（インビスタ社の登録商標））、耐摩耗材料、耐ちぎれ材料、耐裂け材料、耐破裂性材料（例えば高強力ファイバー）、耐熱材料、電気絶縁性材料、（様々な危険カテゴリー（HR  category）および安全基準（NFPA  ２０２／７０E、ASTM１５０６）に対する）耐火材料、例えばノーメックス（デュポン社の登録商標）、耐炎材料、弾性材料、材料ブレンド（例えばスパンデックス、ライクラ（インビスタ社の登録商標）としても知られている）、または、サンドストーンを含む。上着１００は、所与の活動または着用者の個人的好みに合うように、様々な色（例えば黒、灰色、茶色、迷彩色、緑色、赤色、ピンク色、オレンジ色、黄色など）およびスタイルであってもよい
【００２１】
上着１００は更に、防臭、耐汚れ性、汗蒸散性、撥水性または防水性、耐火性または防火性、防水可呼吸性、耐皺性等の特徴を有してもよい。レインディフェンダー（登録商標）、ストームディフェンダー（登録商標）、ステインブレーカー（登録商標）、ファーストドライ（登録商標）、ラゲッドフレックス（登録商標）、フォース（登録商標）のような、本出願人による市販の上着の技術または特徴を、上着１００の意図される実施形態から逸脱することなく、適用に応じて、様々な程度において上着１００に組み込んでもよい。更に、上着１００は、作業衣（図示せず）の形をとるか、またはビブ（図示せず）と共に使用してもよい。上着１００は更に、適用に特有の特徴（例えば、ラニヤードへのアクセス）を含んでいてもよい。他の同様の特徴も同様に意図される。
【００２２】
アウターシェル層１０２の様々な素材の構成が上記上着１００のために意図される。例としてのアウターシェル層１０２の構成は、１００％綿サンドストーン帆布の生地要素を有し、約１２オンスの生地重量を有するサンドストーン上着１００（例えばジャケットの形のもの）を含む。別の例のアウターシェル層１０２の構成は、９８％の綿および２％のスパンデックスの伸縮性サンドストーンを有し約１０．５オンスの生地重量を有する上着１００を含み、それは、カフおよびボトムの縁の摺れやすい領域のコーデュラトリムを含む。更に別の例のアウターシェル層１０２（例えば、シャツジャケットの形の例）は、５９％の綿／３９％のポリエステル／２％のスパンデックス（耐久撥水剤（DWR）仕上げ）の生地の内容であり、約８オンスの生地重量を有する。アウターシェル層１０２の生地の構成は単に例として提供されていることが理解される。アウターシェル層１０２の他の生地構成が考えられる。
【００２３】
上着１００は上着１００を形成するための複数の部分から構成されるものであってもよい。アウターシェル層１０２のある実施形態は、肩継ぎ目１１０、袖ぐり袖継ぎ目１１２およびアウターシェル層サイド継ぎ目１１４を含む。
【００２４】
図示実施形態においては、図１の上着１００の前部分は、少なくとも肩継ぎ目１１０およびアウターシェル層サイド継ぎ目１１４に沿って、図２の上着２００の後部分と連結することができる。図１および２に示すように、高められた強さ、耐久性、および、荒い美観のために三重縫い継ぎ目を用いてもよい。当業者は、上着１００の図示実施形態におけるすべての継ぎ目（シーム、縫い目、綴じ目、はぎ目）は、図示された位置以外の位置に配置されてもよく、防水性でもよく、および／または、衣服の材料を連結する他の縫い合わせ手法、結合手法（例えば接着剤）およびスタイルを使用して構成されてもよいことを理解するだろう。
【００２５】
腕袖パネル１３０には上部腕袖パネル領域１３２および下部腕袖パネル領域１３４がある。腕袖パネル１３０は、典型的にはアウターシェル層１０２に使用されるのと同じ生地または材料を含む。腕袖パネル１３０は一体のもの（例えば、腕袖パネル１３０の全長に沿って継ぎ目がないもの）であってもよく、あるいは、腕袖パネル１３０を形成する一つまたは複数の部品（一つまたは複数の継ぎ目を伴うもの）からなるものであってもよい。ある実施形態では、腕袖パネル１３０の複数の部品は、第１の腕袖継ぎ目１３６（例えば図１に示されるように腕袖パネル１３０の内部に沿う）および第２の腕袖継ぎ目２３８（例えば図２に示されるように腕袖パネル２３０の後部に沿う）で連結される。図１および２に示すように、高められた強さ、耐久性、および、荒い美観のために三重縫い継ぎ目を用いて腕袖パネル１３０の部品を繋いでもよい。当業者は、上着１００の図示実施形態におけるすべての継ぎ目を、図示された位置以外の位置に配置してもよく、防水性でもよく、および／または、衣服の材料を連結する他の縫い合わせ手法、結合手法（例えば接着剤）およびスタイルを使用して構成してもよいことを理解するだろう。
【００２６】
腕袖パネル１３０は、図１に示す腕袖パネル１３０の前部分の前方腕袖プリーツ１４６を採用するものとしてもよい。上着１００のある実施形態では、図１に示すように、前方腕袖プリーツ１４６は、袖パネルの幅の分だけ延びるものであってもよい。前方腕袖プリーツ１４６は、着用者の肘の前方と予想される領域に位置する。ある実施形態では、プリーツは含まれず、更に別の実施形態では、複数の腕袖プリーツが備えられる。
【００２７】
上着１００のある実施形態では、下部腕袖パネル領域１３４の腕袖パネル端部１４３は、着用者の手のための腕袖パネル１３０の開口（完全には示されていない）において、直線状か、角度が付けられているか、あるいは他の設定となっていてもよい。更に、下部腕袖パネル領域１３４はリストカフ（手首カフ）またはストームカフ１４２（荒天時用カフ）を含んでもよく、それは例えば、体に合う弾性のリストカフであってもよく、あるいは、あぜ編みのリストカフであってもよい。
【００２８】
リストカフ１４２は、完全に露出されていてもよく、部分的に露出されていてもよく、視界から隠されていてもよい。リストカフ１４２はリストカフ継ぎ目１４４の部分またはその近傍に対して繋ぎ合わされていてもよい。腕袖パネル１３０のリストカフ１４２は、着用者の腕または手首の一部にフィットするか、あるいは、調整可能であってもよい（例えば、緩んだり締まったりする）。そのようなリストカフ１４２は、着用者が使用し動く間に、アウターシェル層１０２に対して腕袖パネル１３０が伸びる効果を提供してもよい。
【００２９】
アウターシェル層１０２および腕袖パネル１３０が１つの一体的なものでない実施形態では、腕袖パネル１３０は、アウターシェル層１０２に直接連結されるものであってもよい。より具体的には、腕袖パネル１３０は、アウターシェル層１０２の少なくとも前部分および後部分でアウターシェル層１０２に連結されてもよい。例えば、腕袖パネル１３０は上部腕袖パネル領域１３２で、アウターシェル層１０２の肩継ぎ目１１０あるいはその近傍の領域に対して連結されてもよい。腕袖パネル１３０は上着１００の腋の下の領域の袖ぐり袖継ぎ目１１２あるいはその近傍の領域に対しても連結されてもよい。ある実施形態の腕袖パネル１３０の一部は、更に袖ぐりまち１５２に連結されてもよく、袖ぐりまち１５２は、袖ぐり袖継ぎ目１１２あるいはその近傍の領域においてアウターシェル層１０２に連結されてもよい。
【００３０】
袖ぐりまち１５２は、袖ぐりまち継ぎ目１５４で連結されるツーピースの袖ぐりまちとして示される。更に以下に述べるように、袖ぐりまち１５２は一片のもしくは複数片からなる構成であってもよい。
【００３１】
図２を参照し、図２は、着用者の背中に相当する上着２００のアウターシェル層２０２の一部の背面の外観を示す。上着２００は衣服のシェル層もしくはアウターシェル層２０２を有する。図２は、襟領域２０４、上部シェル層領域２０６、下部シェル層領域２０８、フード２２０および腕袖パネル２３０との関連においてアウターシェル層２０２を説明する。
【００３２】
図２に示されるように、第２の腕袖継ぎ目２３８は腕袖パネル２３０の前部分および後部分を接続するものであってもよい。第２の腕袖継ぎ目２３８は上部腕袖パネル２３２と下部腕袖パネル２３４の間で腕袖パネル２３０の一部または全長に延在するものであってもよい。上腹部継ぎ目２４０は、活動背裏４６４を全体的または部分的に、アウターシェル層２０２に対してまたはその内部を通して接続するために用いられてもよい。図１および２に示すように、高められた強さ、耐久性、および、荒い美観のために三重縫い継ぎ目を用いてもよい。当業者は、上着１００の図示実施形態におけるすべての継ぎ目は、図示された位置以外の位置に配置してもよく、防水性でもよく、および／または、衣服の材料を連結する他の縫い合わせ手法、結合手法（例えば接着剤）およびスタイルを使用して構成してもよいことを理解するだろう。
【００３３】
ある実施形態では、外層活動背面２６０はアウターシェル層２０２の上部シェル層領域２０６に設けられてもよい。外層活動背面２６０はアウターシェル層２０２の後部分へ統合されてもよく、下部シェル層領域２０８の一部または全体まで伸びてもよい。外層活動背面２６０については従来の構成が意図される。例えば、外側アクションプリーツ背面の構成が採用できる。
【００３４】
当業者は、ある実施形態における外層活動背面２６０は、材料（図示せず）の折り目またはプリーツを介して、外層活動背面継ぎ目２６２において、上部シェル層領域２０６の残り部分に連結されてもよいことを理解するだろう。外層活動背面２６０の折り目またはプリーツ（図示せず）の材料は、例えばアウターシェル層２０２に使用される材料と同じであってもよいが、そうでなくてもよい。折り目またはプリーツの材料（図示せず）は複数の折り目またはプリーツを含んでもよく、あるいは、弾性、多孔性、および／または、絶縁性においてより優れる（あるいは劣る）の材料を含んでもよい。
【００３５】
外層活動背面２６０のための他の構成が意図される。例えば、外層活動背面２６０は、上着２００の上部シェル層領域２０６の中心に配置することができ、それに加えて、あるいは代わりに、着用者の肩の近くのプリーツまたは折り目（図示せず）に配置することもできる。同様に、従来のジャケットベントを外層活動背面パネル２６０に部分的、または、全体的に採用してもよい。外層活動背面パネル２６０は、図２で示されるように、例えば、着用者の肩、トルソおよび腕が着用者の体から遠ざかるとき、屈曲性、湾曲性および伸長性の度合いを増加させることに寄与する。
【００３６】
上着２００のある実施形態では、図２に示すように、腕袖パネル２３０は、図２に描かれるような腕袖パネル２３０の後部分上の後方腕袖プリーツ２４８を含んでいてもよい。図２の実施形態では、後方腕袖プリーツ２４８は着用者の肘として予想される領域に位置し、少なくとも腕袖プリーツ継ぎ目２５０に沿って腕袖パネル２３０に固定される。
【００３７】
後方腕袖プリーツ２４８は腕袖パネル２３０の全幅、またはその一部分に延在するものであってもよい。一般に、腕袖プリーツ１４６、２４８は、着用者の腕が曲げ伸ばしされる際に予想される肘の位置の両側に配置されてもよい。腕袖プリーツ１４６、２４８が含まれる場合、着用者の曲げ伸ばし能力が向上し得る。例えば、図１、２に示す実施形態において、腕袖プリーツ１４６、２４８は相補的であってもよく、例えば、上着の内部の嵩を増やすことなく、着用者がより自然かつ完全に曲げ伸ばしをできるようにするものであってもよい。
【００３８】
図３は、上着２００で用いられ得る後方腕袖プリーツ３４８の構成を図２中の切断線Ｂ−Ｂに沿う横断面図として示す。後方腕袖プリーツ３４８は、例えば、上着２００のサイズおよび後方腕袖プリーツ３４８の形成材料のタイプに依存して、様々な深さを有し得る。例として、約１インチの腕袖プリーツ３４８の深さが、Ｍサイズの上着２００に採用され得る。図３の構成は、下方に開き、プリーツ端部ステッチ３８３を含むものとしての後方腕袖プリーツ３４８を示す。プリーツ１４６、２４８の他の構成も知られており意図される。
【００３９】
上着１００が一体のものでなくプルオーバーでない実施形態においては、上着１００は開いた形状および閉じた形状を有する。開いた形状（図示せず）は衣服ファスナー１５６の使用によって全体または部分において閉じた形状に変更されてもよい。閉じた形状は、図１に示される。ある実施形態では、衣服ファスナー１５６は衣服ファスナー継ぎ目１５８でアウターシェル層１０２に連結される。
【００４０】
様々な手段のうちのいずれも上着１００を閉じるために衣服ファスナー１５６として使用されてもよい。例えば、図１の実施形態はジッパーの形状を有する衣服ファスナー１５６を示す。ジッパーはストームフラップ（荒天時用の垂れ）（図示せず）により補足されてもよい。面ファスナー、ボタン、ベルト、トグル、あるいはそれらの組合せを含み、その他の衣服ファスナーも考えられる。上着１００がプルオーバー類である場合、衣服ファスナー１５６は上着１００を閉じることを必ずしも要求されない。
【００４１】
当業者は、アウターシェル層１０２が着用者の腰の領域より長いか短いものであってもよいことを認識するだろう。例えば、上着１００は着用者の足首まで及ぶことも可能である。
【００４２】
下部シェル層領域１０８が着用者の腰の領域で終わるような衣服１００の実施形態において、上着１００のある実施形態は、ウエストバンド継ぎ目１１８で少なくともアウターシェル層１０２と継ぎ合わせられるウェストまたはボトムバンド１１６を含む。他の実施形態では、上着が着用者の着用者の腰または臀部の領域で終わる場合、ウエストバンド１１６は使用されない。他の実施形態はドロップテールまたは他の構成（図示せず）を有してもよい。
【００４３】
ウエストバンド１１６は弾性材料（例えば伸縮自在のスパンデックスに強化されたあぜ編み）であってもよい。ウエストバンド１１６に弾性材料を使用することにより、着用者の腰または臀部の領域に下部シェル層領域１０８の部分をよりぴったりと適合させるのに役立つ。ただし、上着１００が着用者の腰または臀部の領域より下（あるいは上）で終わる場合、ウエストバンド１１６は使用されない場合もある。衣服が着用者の腰または臀部の領域の下か上で終わる場合、下部シェル層領域１０８の下端縁またはその縁の近くに配置される弾性的な腰コード（図示せず）を使用してもよい。
【００４４】
図１に示されるように、上着１００の実施形態は任意にフード１２０を含んでもよい。フード１２０は、アウターシェル層１０２に一体的に接続されてもよいし、取り外し可能に接続されてもよい。例えば、襟下スナップ（図示せず）を含んで、フード１２０を襟領域１０４または上着１００の他の部分へ取り付けるようにしてもよい。
【００４５】
フード１２０はそれ自体一片のものであるか、あるいは、フード１２０を形成するための複数の部品からなるものであってもよい。フード１２０は裏地を付けられてもよく、絶縁されていてもよく（例えば、フランネルまたはシェルパによる内張り）、引き紐や紐閉じを含んでもよい。フード１２０はサンバイザーやフェースマスク（図示せず）を備えてもよい。
【００４６】
図１では、フード１２０の複数の部品がフード継ぎ目１２２で繋ぎ合わされる様子が示される。図１および２に示すように、高められた強さ、耐久性、および、荒い美観のために三重縫い継ぎ目を用いてフード１２０の部品を繋いでもよい。当業者は、上着１００の図示実施形態におけるすべての継ぎ目は、図示された位置以外の位置に配置されてもよく、防水性でもよく、および／または、衣服の材料を連結する他の縫い合わせ手法、結合手法（例えば接着剤）およびスタイルを使用して構成されてもよいことを理解するだろう。
【００４７】
図１に更に示されるように、衣服１００の実施形態は、様々な目的のため、多くの位置のうちのいずれにも、どのような数のポケット（例えばポケット１２４）も含んでもよい。ポケット１２４は様々な態様で形成されてもよく、内張りされてもよく、その他の方法により絶縁されていてもよい。ポケット１２４は、例えば、手を温める部材として、またはアクセサリーを保管するために用いられる。ポケット１２８のような、アクセサリーや一時的に入れておく物品（モバイル端末や医療用具等）のためのまたは他の目的のための他のポケット（例えば、パッチ、カーゴ、フラップ、ジッパーポケット等）が含まれてもよい。ポケット１２４または他のポケットもメディアポートを備えるように構成されてもよい。ペンの区画（図示せず）も上着１００に含まれていてもよい。
【００４８】
ポケット１２４は、図１の実施形態において示されるように構築された場合、典型的には、アウターシェル層１０２に使用されたものと同じ生地または材料を有する。例えば、ポケット１２４は、様々な縫い方を用いて、ポケット継ぎ目１２６にてポケット１２４の周りの様々な箇所でアウターシェル層１０２に対して連結される。ポケット１２４は、一般に公知の手段（例えばジッパー、ボタン、ベルクロ（登録商標）、磁石、フラップ（垂れ））の使用により、どのような開口でも閉じられるものとしてもよい。当業者は、上着１００の考えられる実施形態から逸脱することなく、アウターシェル層１０２に様々なポケット構成を組み入れ得ることを理解するだろう。
【００４９】
図４を参照し、活動背裏４６４の実施形態を説明する。活動背裏４６４は様々な統合部品を含んでもよい。図４Ａ〜４Ｄは、活動背裏４６４を形成するために、互いに組み付けられる部品の実施形態を説明する。活動背裏４６４の他の実施形態は、図４Ａ〜４Ｄに示されたものよりも多いか少ない部品から造られるものであってもよい。活動背裏４６４またはその部分（例えば、伸縮背面層４６６）は、上着２００の外部の視界から完全に隠されていてもよい。活動背裏４６４は、選択的に、上着２００の外部の視界から部分的に隠されるものであってもよい。他の実施形態では、例えば、衣服１００の内部が見える場合、全体的または部分的に、活動背裏４６４を露出させることができるものであってもよい。
【００５０】
図示実施形態では、活動背裏４６４はアウターシェル層２０２とは別個のユニットである。活動背裏４６４は、上部シェル層領域２０６、および／または、上着２００の他の領域に位置してもよい。典型的には、活動背裏４６４は両肩の間に位置してもよい。両肩の間に活動背裏４６４を配置することによって、着用者の様々な動作に対する上着１００の復帰および復帰時間を向上させるものであってもよい。
【００５１】
活動背裏４６４の実施形態は比較的一定の外観、および、アウターシェル層２０２に使用される生地の一体性を維持するように構成されてもよい。例えば、活動背裏４６４は、典型的には、アウターシェル層２０２の内部に、または内側を通して、配置されてもよい。活動背裏４６４は、上着２００の上部シェル層領域２０６内へ挿入されるものであってもよく、深い従来型の両脇プリーツのアクションプリーツの形の外層活動背面パネル２６０とともに構成されるものであってもよい。ある実施形態では、活動背裏４６４は、特殊な環境での使用のため、または、所与の活動のために上着１００を曲げ伸ばしする所望の度合いを達成するため、着用者または他者が、衣服２００に選択的に挿入および取外しができるアクセサリーであってもよい。
【００５２】
更に、他の実施形態では、衣服内側裏地７８８も活動背裏４６４の上に配置され、かつ／または、統合されてもよい。柔軟なシェルおよび他のハイブリッド上着コートにおいて使用されるように、活動背裏４６４を使用することにより、アウターシェル層１０２に他の伸縮パネルを備えることなく上着１００を作ることが可能となり、上着１００が着用者の体および動きによりぴったりと一致できるようになる。
【００５３】
図４Ａは、伸縮パネル４６８（例えば伸縮ニット生地）およびシェルパネル４７０（例えばシェル生地）を含む活動背裏４６４の伸縮背面層４６６を示す。伸縮パネル４６８は活動背裏４６４の中心にあるものとして示され、典型的には、着用者の体に最も近い活動背裏４６４の層要素である。伸縮パネル４６８は、典型的には、最終的な衣服１００の中で、着用者の皮膚に最も近い層や裏地ではない。というのは、他の裏地（例えば衣服内側裏地７８８）が、完成した衣服１００の中では着用者の体にもっと近い層となり得るからである。
【００５４】
例えば所定程度の弾性または弾性類似の特性を有する様々な繊維や糸を、活動背裏４６４および特に伸縮パネル４６８のために用いることが考えられる。活動背裏４６４の弾性または弾性類似の特性は、アウターシェル層２０２が元の位置へ戻るのを援助すると同時に、着用者に対し、活動的な着用の間、高度の曲げ伸ばし能力を与える。ある例は、所定程度の機械的伸縮を提供するスパンデックス、スパンデックスブレンド、ナイロン、ポリエステル、エラステーン、綿、合成繊維、ポリマーコンポジット、ポリマーブレンド、ゴム、ニットおよび他のエラストマーの繊維を含む。一般に、伸縮パネル４６８に適する材料に関して典型的な機械的・化学的性質は、弾性および耐久性に有利に働く諸特性である。伸縮パネル４６８に適する材料について考慮され得る特性は、例えば、厚さ、保持力、密度、織目、破断時の伸び、応力、歪み、水分率、弾力性、洗濯性、耐漂白性である。伸縮パネル４６８は多数の方向に伸縮し得るもの、またはいくつかの方向のみに伸縮し得るものであってもよく、そのような動きを考慮に入れることができるあらゆる材料で作ることができる。
【００５５】
図４Ａでは、シェルパネル４７０は伸縮パネル４６８の両側に配置される。適切な弾性または柔軟性を有する単一の伸縮パネル４６８を使用するなど、他の様々な構成が考えられる。もしくは、他の構成は、２枚以上の伸縮パネル４６８、および／または、適切な弾性率または柔軟性をともに提供するシェルパネル４７０を使用するものとすることができる。
【００５６】
図４Ｂは、図４Ａの伸縮背面層４６６に対して縁取りパネル４７４を追加することを示す。縁取りパネル４７４は、シェル生地縁取り継ぎ当てであってもよい。縁取りパネル４７４が図４Ｂに示す伸縮パネル継ぎ目４７２内へセットされる場合、伸縮パネル４６８はシェルパネル４７０および縁取りパネル４７４とともに連結されてもよい。
【００５７】
図４Ｃは、活動背裏４６４の図示実施形態の外側生地層４７６を含む追加的な要素を示す。外側生地層４７６は、伸縮パネル４６８、シェル材料４７０および縁取りパネル４７４の上に配置される。ある実施形態では、一旦縁取りパネル４７４が伸縮パネル継ぎ目４７２へセットされれば、外側生地層４７６はそのように配置される。
【００５８】
図４Ｄは、一または複数の縁取り縁４７８、４８０、４８１、４８２において組み立てられ連結される活動背裏４６４の図示実施形態のすべての部品を示す。活動背裏４６４も、全体的または部分的に、肩継ぎ目１１０、アウターシェル層サイド継ぎ目１１４および上腹部背面継ぎ目２４０の１つまたは複数において、アウターシェル層２０２に連結されてもよい。図示活動背裏４６４の構成により、アウターシェル層１０２および活動背裏４６４は、外層活動背面４６０に対して最大の伸縮性および機能をもたらすことができ、それによって、着用者に対して、腕、肩、トルソおよび特に上着２００の上背における向上した可動域を提供する。
【００５９】
当業者は、着用者が弛緩位置から延長位置へ腕を伸ばす場合、伸縮背面パネル４６８および縁取りパネル４７４が伸び、それによって、アウターシェル生地１０２の外側の一体性および外観を変更する必要なく、上背を介した動きを含み、改善された動きやすさがもたらされることを理解するだろう。着用者が弛緩位置へ腕を戻すと、伸縮背面パネル４６８は縁取りパネル４７４をその弛緩位置に強制的に戻すことに寄与する。活動背裏４６４は、とりわけ生地容積の縮小を促進し、着用者により良い可動域を提供する。活動背裏４６４を付けるための他の構成および方法が考えられる。
【００６０】
図５は、袖ぐりまち５５２の実施形態を示す。袖ぐりまち５５２は、典型的には着用者の腕の下または腋の下の領域に位置する。図５は、図２中のＡ−Ａ線に沿って得られる図である。
【００６１】
図５は上部シェル層領域５０６の背面部分と、袖ぐり袖継ぎ目５１２と、アウターシェル層サイド継ぎ目５１４と、上部腕袖パネル５３２と、腕袖継ぎ目５３６との関連において袖ぐりまち５５２を示す図である。図示実施形態では、袖ぐりまち５５２はツーピースの袖ぐりまちを含む。右腕袖パネル２３０Ｒ、左腕袖パネル２３０Ｌの少なくとも一方は、腕袖パネル２３０の外部表面に連結または統合される袖ぐりまち５５２を有する実施形態が考えられる。
【００６２】
袖ぐりまち５５２は従来のまち形を取ってもよい。図５に示す実施形態では、袖ぐりまち５５２は「Ｘ」次元および「Ｙ」次元で描かれ、フットボール形または長球に近似の形として描かれる。ただし、当業者は、袖ぐりまち５５２の特定形状が変更可能であることを理解するだろう。ツーピースの袖ぐりまちの実施形態では、例として、袖ぐりまち５５２は「Ｙ」次元において約８．２５インチの長さを持ち、「Ｘ」次元において約３インチの幅を持つものとすることができる。
【００６３】
袖ぐりまち５５２は単一の折り目または複数の折り目を有してもよい。折り目のラインが袖ぐりまち５５２に形成されてもよく、ある実施形態では、袖を横切って横に伸びるラインでもよい。（図１および２に示すように）袖ぐりまち継ぎ目１５４が含まれる場合、着用者の腕が弛緩位置にある場合、袖ぐりまち継ぎ目１５４は、袖ぐりまち継ぎ目１５４の近くまたはその継ぎ目に沿って、それ自体の上で袖ぐりまち５５２が折り返すことを更に可能にする折り目のラインであってもよい。他の実施形態において、着用者の腕が弛緩位置にある場合（例えば着用者の腕がまっすぐ垂れ下がっている場合）、袖ぐりまち５５２は、着用者の腋の下の内側の隅でアコーディオンのような折り目を形成するようにそれ自体の上でアコーディオンのように折り畳まれてもよい。一般に、また、袖ぐりまち５５２の構成にかかわらず、着用者の腕が着用者の胴体または頭の前に伸ばされるとき、袖ぐりまち５５２は展開する。
【００６４】
袖ぐりの折り目を過ぎない限り、最大の機能のために袖ぐりまち５５２をできるだけ長く形成してもよい。一旦袖ぐりまち５５２が袖ぐりの折り目を過ぎて伸びると、袖ぐりまち５５２は着用者に対して追加的な動きを提供できなくなる可能性があり、好ましくない余分な生地およびひだを生み出す可能性がある。
【００６５】
袖ぐりまち５５２は、着用者が自らの腕を頭の上または体の前に伸ばすとき、着用者の体および袖ぐり領域へよりぴったりとフィットすることにより着用者の動きを容易にし、上着１００が持ち上がらず、その元の弛緩位置に留まることに寄与する。袖ぐりまち５５２によって提供される付加的な生地は、着用者が自らの腕を頭の上まで移動させる能力を向上させ、同時に、従来の袖の構成に典型的に見られる袖ぐりの交差部分における望まれない拘束と容積を最小化する。上着１００の拘束および容積が低減されることで、着用者のより良い着心地と動きを提供する。もしくは、他の方法で、袖ぐりまち５５２は、着用者に対して動きのより高い自由度を提供してもよい。
【００６６】
当業者にとっては明白であろうが、特に上着１００の袖ぐりまち５５２との関連で用いられた時、活動背裏４６４が持ち上がりを最小化するだけではなく、組合せることで、着用者の頭の上に腕を上げられる程度、および着用者の体の前に腕を伸ばすことができる程度を非常に改善する。例として、本出願人から購入可能なクイックダックトラディショナルジャケットの衣服の上昇は、着用者の両方の腕が着用者の頭の上にあるとき、その原位置からおよそ８インチの上昇である。着用者の両方の腕が着用者の頭の上にあるとき、上着１００の実施形態は、その原位置から約５．５インチ上昇する。両者のおおよその差は、２．５インチの顕著な差である。
【００６７】
図６は腕内側裏地伸縮継ぎ当て６８４を示す。更に、袖ぐりまち５５２を補足するために、袖ぐりまち伸縮生地６８５も形成され、衣服内側裏地７８８に接続または統合されてもよい。腕内側裏地伸縮継ぎ当て６８４は、更に本開示の実施形態に係る肘伸縮生地６８７を含んでもよい。
【００６８】
ある実施形態では、腕内側裏地伸縮継ぎ当て６８７は、第１の腕袖継ぎ目１３６および第２の腕袖継ぎ目１３８に沿う衣服内側裏地７８８の肘領域に縫い付けられる。腕内側裏地伸縮継ぎ当て６８４にともに統合されるのは、袖ぐりまち伸縮生地６８５（例えばスペーサメッシュ生地）、肘生地６８６（例えば中間重量キルト生地）および肘伸縮生地６８７（例えばスペーサメッシュ生地）である。
【００６９】
腕内側裏地伸縮継ぎ当て６８４の他の実施形態は、単一の生地、または適切な弾性を有する２枚以上の生地として構成されてもよい。例えば、伸縮生地は伸縮パネル４６８と同じ材料であってもよい。
【００７０】
腕内側裏地伸縮継ぎ当て６８４は更に袖ぐりまち５５２、および／または、肘プリーツ１４６、２４８の機能を向上させ、着用者の動きを向上させ、かつ／または、上着１００の容積を縮小するものであってもよい。袖ぐりまち伸縮生地６８５および肘伸縮生地６８７はそれぞれ、袖ぐりまち５５２、および／または、１つまたは複数のプリーツ１４６、２４８と相補的な態様で働くように配置され、形作られていてもよい。例えば、腕内側裏地伸縮継ぎ当て６８４が袖ぐりまち５５２、および／または、１つまたは複数のプリーツ１４６、２４８の曲げ伸ばしにおける性能に対して与えるいかなる貢献をも越えて、袖ぐりまち伸縮生地６８５は、袖ぐりまち５５２のそれぞれの性能を向上させるものであってもよく、また、同様に、肘伸縮生地６８７は、着用者が曲げ伸ばしを行う際に１つまたは複数のプリーツ１４６、２４８の性能を向上させるものであってもよい。ある実施形態では、腕内側裏地伸縮継ぎ当て６８４、袖ぐりまち５５２、肘プリーツ１４６、２４８、および衣服１００の実施形態中の活動背裏４６４を備えた外層活動背面２６０を含むことにより、従来の外形が現われる上着１００を提供しながら、着用者により高い自由度および全般的な可動域（例えば曲げ伸ばし）を提供するように協働する。
【００７１】
図７は、アウターシェル層１０２、２０２の内部に取り付けられる衣服内側裏地７８８を示す。上着１００は追加的な裏地を用いて作られてもよく、または裏地無しで作られてもよい。また、そのような裏地は、例えば、キルト、平織り、シェルパまたはタフタなど、裏地のタイプとして適した材料であってもよい。衣服内側裏地７８８は、アウターシェル層１０２の中で使用される任意の生地とは異なる単一の生地を含んでもよい。本開示のある実施形態では、衣服内側裏地７８８は活動背裏４６４に統合されてもよく、それらはともに単一の衣服内側裏地７８８を形成してもよい。あるいは、衣服内側裏地７８８は完全に活動背裏４６４を覆ってもよく、それにより、アウターシェル層１０２と衣服内側裏地７８８の間に活動背裏４６４を挟んでもよい。
【００７２】
図７に示されるように、衣服内側裏地７８８はともに連結される複数の部品を含んでもよい。例えば、衣服内側裏地７８８は、衣服内側裏地第１生地７８９、衣服内側裏地第２生地７９０および衣服内側裏地第３生地７９１を含んでもよく（それはある実施形態では活動背裏４６４である）、それらは様々な既知の手段によってともに連結されてもよい。そのような実施形態において、衣服内側裏地第１の生地７８９は、サンドストーンシェル生地の形態を取ってもよく、衣服内側裏地第２生地７９０は、ポリフリース生地の形態を取ってもよく、衣服内側裏地第３生地７９１は、伸縮シェルパの生地の形態を取ってもよい。衣服内側裏地７８８は更に様々なポケット７９２、７９４（例えば、ポケット１２４と同様のもの）、および品質表示票領域７９３を含んでもよい。衣服品質表示票領域７９３は、品質表示票、標識付け、および／または、ラニヤードアクセス（図示せず）のための位置合わせのような１つまたは複数の目的に役立ち得る。フード裏地７９５およびウエストバンド７９６は、衣服内側裏地７８８のどのような他の裏地構造と連結または統合されてもよい。
【００７３】
当業者にとって明らかであるように、本開示の実施形態を使用して、多くのスタイルを作成することが可能である。同様に、当業者にとって明らかであるが、本開示の実施形態は、仕事服の焦点を単なる保護から、保護、心地よさ、および動きを提供する非常に汎用性の高い上着へと劇的に変化させる（それにより、着用者が居る活動的環境における着用者の活力を提供する）。
【００７４】
本開示は図示実施形態に従って記述された。実施形態には変更が有り得て、いかなる変更も本開示の精神および範囲内にある。例えば、例示の実施形態は様々な材料、縫い方、裁縫、および付属物を使用して実行し、また、本実施形態を複製することができる。他の上衣（例えばコート、シャツ、ジャケット、制服など）に本構造を適用可能であることが理解されるだろう。
【００７５】
所定の実施形態との関連において発明を記述したが、様々な変更を行なうことができ、均等物が発明の範囲から外れずに代用され得ることは当業者によって同様に理解されるだろう。更に、本発明の教示に対して、その範囲から外れることなく、多くの変更を特定の状況または材料に対して適応可能である。そのため、発明は、開示された特定の実施形態には限定されず、発明は、添付の特許請求の範囲に含まれるすべての実施形態を含むことが意図される。
【図１】
0006776340.tif 000002
【図２】
0006776340.tif 000003
【図３】
0006776340.tif 000004
【図４Ａ】
0006776340.tif 000005
【図４Ｂ】
0006776340.tif 000006
【図４Ｃ】
0006776340.tif 000007
【図４Ｄ】
0006776340.tif 000008
【図５】
0006776340.tif 000009
【図６】
0006776340.tif 000010
【図７】
0006776340.tif 000011